(57)【要約】      （修正有）【課題】進行方向に長い旅客室の天井付近に設置された場合に、特段の調節を要さず車室内の中央寄りとなる事故や犯罪が多発し易い範囲に画角設定されたものとなる撮像部を有した直管型ＬＥＤランプ技術を提供する。【解決手段】客室ＬＥＤ管型カメラシステムは、ガラス直管Ｇ１およびガラス直管Ｇ１の内端に連続するユニットカバーＵからなり、ユニットカバーＵの外端およびガラス直管Ｇ１の外端に設けられた口金Ｔを有したランプ外殻Ｇが設けられる。ガラス直管Ｇ１には、ＬＥＤ発光部２が内装される。ユニットカバーＵは、電源部Ｐ、制御回路３、撮像部４及び無線通信部７を有する制御ユニットＣＵが内装される。撮像部４は、広角レンズを有し、撮像の光軸が、垂線に対して傾けられたカメラが設けられる。制御回路３には、撮像データを読み書き可能なリムーバブルメデイア用スロットおよびリムーバブルメデイアが設けられる。【選択図】図１
2020021720.tif 000002
【特許請求の範囲】
【請求項１】
仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心に平行な電源端子が突設された口金と、該ガラス直管のユニットカバーが設けられた内端とは反対がわとなる外端に設けられ、該仮想水平軸心に平行なダミー端子が突設された口金とを有し、直管型蛍光灯の外郭形状が再現されたランプ外殻が設けられ、該ガラス直管の略全長に渡り、対象旅客室に設置された場合に、下がわを照明するようＬＥＤ発光部が下向き内装され、該ユニットカバーには、電源部、制御回路、撮像部、無線通信部を有した制御ユニットが内装され、該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられたカメラが設けられ、該制御回路には、撮像データを読み書き可能なリムーバブルメデイア用のリーダー・ライター部を有するリムーバブルメデイア用スロット、および、該リムーバブルメディア用スロットに装着されたリムーバブルメデイアが設けられたものとしてなることを特徴とする客室ＬＥＤ管型カメラシステム。
【請求項２】
仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心に平行な電源端子が突設された口金と、該ガラス直管のユニットカバーが設けられた内端とは反対がわとなる外端に設けられ、該仮想水平軸心に平行なダミー端子が突設された口金とを有し、直管型蛍光灯の外郭形状が再現されたランプ外殻が設けられ、該ガラス直管の略全長に渡り、対象旅客室に設置された場合に、下がわを照明するようＬＥＤ発光部が下向き内装され、該ユニットカバーには、電源部、制御回路、撮像部、無線通信部を有した制御ユニットが内装され、該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられたカメラが設けられ、該制御回路には、撮像データを読み書き可能なリムーバブルメデイア用のリーダー・ライター部を有するリムーバブルメデイア用スロット、および、該リムーバブルメディア用スロットに装着されたリムーバブルメデイアが設けられ、対象旅客室内の天井の対象旅客室幅寸法間の中央から対象旅客室幅寸法方向の何れか一方端寄りに設置され、対象車両進行方向の前後に、一対のソケット部が対峙された直管用照明器具に対して装着された場合に、該撮像部の撮像の光軸の向きが、鉛直下方の床面から、対象旅客室幅寸法間の中央の床面、および、該直管用照明器具が設置されたのとは反対がわとなる対象旅客室幅寸法方向の何れか他方の座席を含み、対象旅客室幅寸法方向の何れか他方となる対象旅客室内側壁の網棚上に至る範囲を含む対象旅客室幅寸法方向の撮像範囲を確保するよう設定されてなるものとされたことを特徴とする客室ＬＥＤ管型カメラシステム。
【請求項３】
仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心を中心とする仮想円と、同仮想水平軸心に直交する仮想径線との２つの交点から、同仮想水平軸心に平行するよう二本の電源端子が外向きに突設された口金と、該ガラス直管のユニットカバーが設けられた内端とは反対がわとなる外端に設けられ、該仮想水平軸心に一致するよう外向きに一本のダミー端子が突設された口金とを有し、直管型蛍光灯の外郭形状が再現されたランプ外殻が設けられ、該ガラス直管の略全長に渡り、該仮想水平軸心および前記二本の電源端子を結ぶ仮想径線が、水平面に一致された場合に、下がわを照明するようＬＥＤ発光部が下向き内装され、該ユニットカバーには、電源部、制御回路、撮像部、無線通信部を有した制御ユニットが内装され、該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心および前記二本の電源端子を結ぶ仮想径線が、水平面に一致された場合に、該仮想水平軸心を通る垂線に対して、４０°ないし４５°の傾き角度をもつよう該仮想水平軸心回りの何れか一方に傾けられたカメラが設けられ、該制御回路には、撮像データを読み書き可能なリムーバブルメデイア用のリーダー・ライター部を有するリムーバブルメデイア用スロット、および、該リムーバブルメディア用スロットに装着されたリムーバブルメデイアが設けられたものとしてなることを特徴とする客室ＬＥＤ管型カメラシステム。
【請求項４】
制御ユニットの電源部が、電源端子がわから順に、保護回路、定電圧電源回路および定電流電源回路を経てＬＥＤ発光部に接続されてなる、請求項１ないし請求項３何れか一記載の客室ＬＥＤ管型カメラシステム。
【請求項５】
制御ユニットの電源部が、電源端子がわから順に、保護回路、定電圧電源回路、ＤＣ／ＤＣコンバータおよび緊急用蓄電デバイスを経て制御回路に設けられた中央演算処理装置に接続されてなる、請求項１ないし請求項４何れか一記載の客室ＬＥＤ管型カメラシステム。
【請求項６】
制御ユニットの電源部が、電源端子がわから順に、保護回路、定電圧電源回路、ＤＣ／ＤＣコンバータを経て撮像部に接続されてなる、請求項１ないし請求項５何れか一記載の客室ＬＥＤ管型カメラシステム。
【請求項７】
制御ユニットの制御回路が中央演算処理装置を有し、該中央演算処理装置が、無線ＬＡＮモジュールおよび無線アンテナを有した無線通信部と接続され、通信可能範囲に設置された客室ＬＥＤ管型カメラシステムの無線通信部、または、無線通信部を備えた通信端末装置の少なくとも何れか一方と通信可能なものとされた、請求項１ないし請求項６何れか一記載の客室ＬＥＤ管型カメラシステム。
【請求項８】
制御ユニットの制御回路が中央演算処理装置を有し、ユニットカバーが、該ユニットカバーの下がわ向きとなる外がわに発光部分が露出されたエラー表示ＬＥＤを有し、該中央演算処理装置に対し、エラー表示ＬＥＤが、同エラー表示ＬＥＤの電源スイッチを介して接続され、該中央演算処理装置が、撮像部および無線通信部の正常動作を検知した場合、および、撮像部または無線通信部の少なくとも何れか一方に誤作動を生じた場合の夫々に、エラー表示ＬＥＤの電源スイッチの開閉制御を自動的に行うものとされた、請求項１ないし請求項７何れか一記載の客室ＬＥＤ管型カメラシステム。
【請求項９】
制御ユニットの制御回路が中央演算処理装置を有し、該中央演算処理装置が、クロックＩＣ、撮像部、および、リムーバブルメデイア用スロットに装着され、該リムーバブルメデイア用スロットに設けられたリムーバブルメディア用スロットに装着されたリムーバブルメデイアの夫々と通信可能に接続されてなる、請求項１ないし請求項８何れか一記載の客室ＬＥＤ管型カメラシステム。
【請求項１０】
ユニットカバーが、該ユニットカバー内に収容された制御ユニットを下がわから覆う下ユニットカバー部、および、該制御ユニットを上がわから覆う上ユニットカバー部が、ネジ結合によって一体化されたものであって、該ネジ結合によって一体に組み合わせられたユニットカバー内に、リムーバブルメデイア用スロット、および、該リムーバブルメデイア用スロットに装着されたリムーバブルメデイアが、ネジの取り外し無しには取り出せないよう収容されてなるものとされた、請求項１ないし請求項９何れか一記載の客室ＬＥＤ管型カメラシステム。
【請求項１１】
対象旅客室内天井の対象旅客室幅寸法間の中央から対象旅客室幅寸法方向端寄りとなる双方に計二列、前後に間隔を隔てて複数行の配置に設けられ、各々の対象車両進行方向の前後に、一対のソケット部が対峙された直管用照明器具に対して夫々装着され、互いの無線通信部間でアドホック・モードの無線通信が可能なものとされた、前記請求項１ないし請求項１０の何れか一記載の客室ＬＥＤ管型カメラシステムの複数と、それら互いにアドホック・モードの無線通信が可能とされた複数の客室ＬＥＤ管型カメラシステムの中の少なくとも何れか一つの無線通信部と直接的にか、または、無線通信ネットワークを介して間接的にかの少なくとも何れか一方で無線通信が可能な通信端末装置との組み合わせからなり、該通信端末装置が、少なくとも各客室ＬＥＤ管型カメラシステムのリムーバブルメデイアに蓄積された撮像データを、無線受信可能なものとされてなる、前記請求項１ないし請求項１０の何れか一記載の客室ＬＥＤ管型カメラシステムを利用した旅客室用照明・監視システム。
【請求項１２】
対象旅客室内天井の対象旅客室幅寸法間の中央から対象旅客室幅寸法方向端寄りとなる双方に計二列、前後に間隔を隔てて複数行の配置に設けられ、各々の対象車両進行方向の前後に、一対のソケット部が対峙された直管用照明器具に対して夫々装着された、前記請求項１ないし請求項１０の何れか一記載の客室ＬＥＤ管型カメラシステムの複数と、各客室ＬＥＤ管型カメラシステムの無線通信部と直接的にか、または、無線通信ネットワークを介して間接的にかの少なくとも何れか一方でインストラクチャー・モードの無線通信が可能な通信端末装置との組み合わせからなり、該通信端末装置が、少なくとも各客室ＬＥＤ管型カメラシステムのリムーバブルメデイアに蓄積された撮像データを、無線受信可能なものとされてなる、前記請求項１ないし請求項１０の何れか一記載の客室ＬＥＤ管型カメラシステムを利用した旅客室用照明・監視システム。
【発明の詳細な説明】
【技術分野】
【０００１】
この発明は、既存の直管型の蛍光灯ランプに略一致する外郭形状とされた直管型ＬＥＤランプ技術に関連するものであり、特に、新幹線、地下鉄やモノレールなどを含む在来線などの旅客鉄道車両やバス車両、旅客用船舶、旅客用航空機などの客室の照明灯として用いられる客室ＬＥＤ管型カメラシステムを製造、設置、提供、利用する分野は勿論のこと、その輸送、保管、組み立ておよび設置に必要となる設備、器具類、それらによって構築された照明・監視システムを提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                        
【背景技術】
【０００２】
（着目点）
デジタル小型カメラの小型・軽量化および低廉化に伴い、不特定多数の人々が行き交う路上や公共の屋外、建築物内、店舗、倉庫などの様々な場所への防犯カメラの設置が進み、防犯効果を高めるのに役立てられており、さらに、建築物などへの設置に留まらず、近年は、一般車両へのバックカメラやドライブレコーダーなどの普及によって、車両走行中の車両周辺を録画する技術や、駐車中に受けた事故被害や車上荒らしなどの事件被害を自動的に録画する技術など、様々な方面で防犯カメラが設置および利用されるようになってきている。
【０００３】
こうした防犯カメラ技術の進展にも関わらず、例えば、様々な顧客が乗車する新幹線の旅客用車両の客室内などには、これまでデッキ部およびデッキ通路部に防犯カメラが設置されていたが、客室内でも様々な事故や犯罪などが起きる虞があり、今後は、客室内を隈無く録画可能とする技術の提供が求められるようになってくることが予想される。
【０００４】
（従来の技術）
こうした状況を反映し、その打開策となるような提案もこれまでに散見されない訳ではない。例えば、下記の特許文献１（１）に提案されているものに代表されるように、無線通信部および静止画あるいは動画を撮像する撮像部を含む付加機能部を備え、かつ、光源となるＬＥＤが、光透過部分を含む直管状カバーの内部に設けたＬＥＤ照明装置と、ＬＥＤ照明装置と無線通信部を介して無線通信可能な携帯端末とを有するＬＥＤ照明装置システムであって、無線通信部は、無線通信を可能とするものであり、携帯端末は、無線通信部との通信可能エリア内に配置された場合、周囲にカメラがあることを知らせる情報を画面に表示するものとされ、携帯端末の使用者は、周辺にカメラがあることを認識することができ、結果的に、犯罪を実行しようと考えている者は、犯罪の実行をあきらめる可能性が高くなり、犯罪の防止効果を高めることができるようにされたものや、同特許文献１（２）に見られるような、既存の蛍光灯用のソケットにＬＥＤ照明灯を装着し、これを点灯させる場合に、駆動電力の低周波電流に含まれるリップル分によってＬＥＤ照明灯の点灯状態にチラツキを生じてしまうという欠点があったが、スイッチングトランジスタ、トランスおよび転流用ダイオードから構成されるスイッチング方式の降圧型ＤＣ/ＤＣコンバータを電源として使用するＬＥＤ照明装置において、トランスの一次コイルをスイッチングトランジスタおよびＬＥＤ発光部との間に接続し、センサーシステムを駆動する電源を構成する回路を二次コイルに接続し、部品実装面におけるスペースを十分に確保可能にして、ＬＥＤ照明装置へのセンサーシステムの組み入れを容易化するとともに、センサーシステムの消費電力の変動がＬＥＤ照明装置のＬＥＤ照明灯の点灯状態に悪影響を与えることを回避可能とし、ＬＥＤ照明灯の点灯状態を安定化可能としてなるＬＥＤ照明装置などが散見される。
【０００５】
しかし、前者特許文献１（１）に示されているようなＬＥＤ照明装置システムは、ＬＥＤ照明装置に撮像部と、外部の携帯端末と通信可能な無線通信部を含む付加機能部を備えているから、建築物の天井などに照明灯として設置され、その照明灯の下方で発生した事故や犯罪の映像を録画するのに適していると云うことができるが、鉄道やバスなどの旅客車両の客室内の、照明灯の下方であって、犯罪が多発する傾向にある範囲に撮像部の画角範囲を広角に設置できる技術は示されておらず、進行方向に長い車両客室内を、効率良く撮像できるものとはなっておらず、限られた画角範囲の撮像データのみを得るのに留まってしまい、死角となる位置で犯行が行われてしまう虞が残るものであり、また、特許文献１（２）に代表するＬＥＤ照明装置などは、電源遮断や停電時に、録画データを保存することができず、特に電源の投入および遮断が日々繰り返される利用環境にあり、しかも交通事故、鉄道事故や災害などに伴う停電が発生し易い旅客車両などにあっては致命的な欠点になるものと予想される。                                                                                              
【特許文献１】（１）特開２０１７−１０７２５号公報    （２）特開２０１７−１５２２３３号公報
【発明の概要】
【発明が解決しようとする課題】
【０００６】
（問題意識）
上述したとおり、従前までに提案のある撮像部を有した各種ＬＥＤ照明装置システムや、ＬＥＤ照明装置などは、何れも、進行方向に長い旅客車両の旅客室内に設置されることを前提とした構造を持たず、従前までの蛍光灯と同様の配置となるよう、旅客室の天井付近に設置された場合に、車室内の中央寄りとなる事故や犯罪が多発し易い範囲を、旅客室内の進行方向に広く撮像できるものとはなっていないため、旅客室内を隈無く撮像することができず、しかも車両への搭載に求められる車両走行中の振動に耐える強度、耐久性および耐火性などの安全性を満たすのが困難である上、予期せずに起こる電源停止によって、撮像データを消失してしまうという欠点が残るものであり、こうした従来型のものに残る欠点を解消するための構成につき、更なる改善の可能性を痛感するに至ったものである。
【０００７】
（発明の目的）
そこで、この発明は、進行方向に長い旅客車両の旅客客室の天井付近に、従前までの蛍光灯に置き換えられた配置に設置された場合に、特段の調節を要さずとも旅客室内の中央寄りとなる事故や犯罪が多発し易い範囲に広角の画角が設定されたものとなり、しかも車両走行中の振動に耐える強度、耐久性および安全性を充分に満たし、予期せぬ電源停止に際して、撮像データをより確実に保護可能なものとされた新たな直管型ＬＥＤランプ技術の開発はできないものかとの判断から、逸速くその開発、研究に着手し、長期に渡る試行錯誤と幾多の試作、実験とを繰り返してきた結果、今回、遂に新規な構造の客室ＬＥＤ管型カメラシステム、およびそれを利用した新規な構造の旅客室用照明・監視システムを実現化することに成功したものであり、以下では、図面に示すこの発明を代表する実施例と共に、その構成を詳述することとする。                                                                                      
【課題を解決するための手段】
【０００８】
（発明の構成）
図面に示すこの発明を代表する実施例からも明確に理解されるように、この発明の客室ＬＥＤ管型カメラシステムは、基本的に次のような構成から成り立っている。
即ち、仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心に平行な電源端子が突設された口金と、該ガラス直管のユニットカバーが設けられた内端とは反対がわとなる外端に設けられ、該仮想水平軸心に平行なダミー端子が突設された口金とを有し、直管型蛍光灯の外郭形状が再現されたランプ外殻が設けられ、該ガラス直管の略全長に渡り、対象旅客室に設置された場合に、下がわを照明するようＬＥＤ発光部が下向き内装され、該ユニットカバーには、電源部、制御回路、撮像部、無線通信部を有した制御ユニットが内装され、該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられたカメラが設けられ、該制御回路には、撮像データを読み書き可能なリムーバブルメデイア用のリーダー・ライター部を有するリムーバブルメデイア用スロット、および、該リムーバブルメデイア用スロットに装着されたリムーバブルメデイアが設けられたものとしてなる構成を要旨とする客室ＬＥＤ管型カメラシステムである。
【０００９】
この基本的な構成からなる客室ＬＥＤ管型カメラシステムは、その表現を変えて示すならば、仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心に平行な電源端子が突設された口金と、該ガラス直管のユニットカバーが設けられた内端とは反対がわとなる外端に設けられ、該仮想水平軸心に平行なダミー端子が突設された口金とを有し、直管型蛍光灯の外郭形状が再現されたランプ外殻が設けられ、該ガラス直管の略全長に渡り、対象旅客室に設置された場合に、下がわを照明するようＬＥＤ発光部が下向き内装され、該ユニットカバーには、電源部、制御回路、撮像部、無線通信部を有した制御ユニットが内装され、該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられたカメラが設けられ、該制御回路には、撮像データを読み書き可能なリムーバブルメデイア用のリーダー・ライター部を有するリムーバブルメデイア用スロット、および、該リムーバブルメディア用スロットに装着されたリムーバブルメデイアが設けられ、対象旅客室内の天井の対象旅客室幅寸法間の中央から対象旅客室幅寸法方向の何れか一方端寄りに設置され、対象車両進行方向の前後に、一対のソケット部が対峙された直管用照明器具に対して装着された場合に、該撮像部の撮像の光軸の向きが、鉛直下方の床面から、対象旅客室幅寸法間の中央の床面、および、該直管用照明器具が設置されたのとは反対がわとなる対象旅客室幅寸法方向の何れか他方の座席を含み、対象旅客室幅寸法方向の何れか他方となる対象旅客室内側壁の網棚上に至る範囲を含む対象旅客室幅寸法方向の撮像範囲を確保するよう設定されてなるものとされた構成からなる客室ＬＥＤ管型カメラシステムとなる。
【００１０】
より具体的には、仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心を中心とする仮想円と、同仮想水平軸心に直交する仮想径線との２つの交点から、同仮想水平軸心に平行するよう二本の電源端子が外向きに突設された口金と、該ガラス直管のユニットカバーが設けられた内端とは反対がわとなる外端に設けられ、該仮想水平軸心に一致するよう一本のダミー端子が外向きに突設された口金とを有し、直管型蛍光灯の外郭形状が再現されたランプ外殻が設けられ、該ガラス直管の略全長に渡り、該仮想水平軸心および前記二本の電源端子を結ぶ仮想径線が、水平面に一致された場合に、下がわを照明するようＬＥＤ発光部が下向き内装され、該ユニットカバーには、電源部、制御回路、撮像部、無線通信部を有した制御ユニットが内装され、該撮像部は、該仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心および前記二本の電源端子を結ぶ仮想径線が、水平面に一致された場合に、該仮想水平軸心を通る垂線に対して、４０°ないし４５°の傾き角度をもつよう該仮想水平軸心回りの何れか一方に傾けられたカメラが設けられ、該制御回路には、撮像データを読み書き可能なリムーバブルメデイア用のリーダー・ライター部を有するリムーバブルメデイア用スロットおよび、該リムーバブルメディア用スロットに装着されたリムーバブルメデイアが設けられた構成からなる客室ＬＥＤ管型カメラシステムとなる。
【００１１】
（関連する発明１）
上記した客室ＬＥＤ管型カメラシステムに関連し、この発明には、それを利用した旅客室用照明・監視システムも包含されている。
即ち、対象旅客室内天井の対象旅客室幅寸法間の中央から対象旅客室幅寸法方向端寄りとなる双方に計二列、前後に間隔を隔てて複数行の配置に設けられ、各々の対象車両進行方向の前後に、一対のソケット部が対峙された直管用照明器具に対して夫々装着され、互いの無線通信部間でアドホック・モードの無線通信が可能なものとされた、この発明の基本をなす前記客室ＬＥＤ管型カメラシステムの中の少なくとも何れか一つの無線通信部と直接的にか、または、無線通信ネットワークを介して間接的にかの少なくとも何れか一方で無線通信が可能な通信端末装置との組み合わせからなり、該通信端末装置が、少なくとも各客室ＬＥＤ管型カメラシステムのリムーバブルメデイアに蓄積された撮像データを、無線受信可能なものとされてなる、この発明の基本をなす前記客室ＬＥＤ管型カメラシステムを利用した旅客室用照明・監視システムである。
【００１２】
この発明の旅客室用照明・監視システムを、表現を変えて示すと、対象旅客室内天井の対象旅客室幅寸法間の中央から対象旅客室幅寸法方向端寄りとなる双方に計二列、前後に間隔を隔てて複数行の配置に設けられ、各々の対象車両進行方向の前後に、一対のソケット部が対峙された直管用照明器具に対して夫々装着された、この発明の基本をなす前記客室ＬＥＤ管型カメラシステムの複数と、各客室ＬＥＤ管型カメラシステムの無線通信部と直接的にか、または、無線通信ネットワークを介して間接的にかの少なくとも何れか一方でインストラクチャー・モードの無線通信が可能な通信端末装置との組み合わせからなり、該通信端末装置が、少なくとも各客室ＬＥＤ管型カメラシステムのリムーバブルメデイアに蓄積された撮像データを、無線受信可能なものとされてなる、この発明の基本をなす前記客室ＬＥＤ管型カメラシステムを利用した旅客室用照明・監視システムということができる。                                                                                  
【発明の効果】
【００１３】
以上のとおり、この発明の客室ＬＥＤ管型カメラシステムによれば、従前までのものとは違い、上記したとおりの固有の特徴ある構成から、ランプ外殻のガラス直管の仮想水平軸心の周囲に設けられた筒状壁に飛散防止膜が被覆されたものとされているから、各種車両や船舶、航空機などの対象旅客室の天井に対して、優れた安全性を確保した状態に設置および利用されるものとすることができる上、ユニットカバー内に収容された撮像部は、仮想水平軸心に平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられたカメラが設けられたものとされたから、例えば、対象鉄道車両の旅客室の天井に対し、対象旅客室内の天井の対象旅客室幅寸法間の中央から対象旅客室幅寸法方向の何れか一方端寄りに設置され、対象車両進行方向の前後に、一対のソケット部が対峙された直管用照明器具に対して装着された場合に、該撮像部の撮像の光軸の向きが、鉛直下方の床面から、対象旅客室幅寸法間の中央の床面、および、該直管用照明器具が設置されたのとは反対がわとなる対象旅客室幅寸法方向の何れか他方の座席を含み、対象旅客室幅寸法方向の何れか他方となる対象旅客室内側壁の網棚上に至る範囲を含む対象旅客室幅寸法方向の撮像範囲を死角なく撮影可能に撮像可能なものとすることができるという秀でた効果を奏するものとなる。
【００１４】
加えて、制御ユニットの制御回路に設けられ、撮像データを読み書き可能なリムーバブルメデイア用のリーダー・ライター部を有するリムーバブルメデイア用スロットに装着され、該リーダー・ライター部に接続されたリムーバブルメデイアは、不揮発性の半導体メモリからなり、電源部への電力の供給が絶たれた後にも、撮像データを保持することができ、防犯カメラとしての機能性がより高められたものとすることができ、しかもリムーバブルメデイアは、ユニットカバー内に収容されているから、この発明の客室ＬＥＤ管型カメラシステムを管理する者以外が、取り出したり持ち去ったりすることはできず、より撮像データを安全に保護できるものとされている。
【００１５】
そして、制御ユニットの電源部が、電源端子がわから順に、保護回路、定電圧電源回路および定電流電源回路を経てＬＥＤ発光部に接続されてなるものとされているから、ＬＥＤ発光部に対してより安定した電力を供給することが可能となり、さらに、制御ユニットの電源部が、電源端子がわから順に、保護回路、定電圧電源回路、ＤＣ／ＤＣコンバータおよび緊急用蓄電デバイスを経て制御回路に設けられた中央演算処理装置に接続されてなるから、制御回路に対し、より安定した電力を供給することが可能となる上、電源端子への外部電力の供給が途絶えた場合にも、緊急用蓄電デバイスが、制御回路へ電力の供給を継続するものとなり、制御回路の無線通信部による通信、およびリムーバブルメデイアの読み取りや書き込みなどを行うことが可能なものとなり、外部電力の停止中（車両の電源オフや停電中）にあっても通信端末装置との通信が可能なものとなるという特段の効果を発揮するものとなる。
また、制御ユニットの電源部が、電源端子がわから順に、保護回路、定電圧電源回路、ＤＣ／ＤＣコンバータを経て撮像部に接続されてなるから、撮像部に対してより安定した電力を供給し、格段に優れた画質の撮像データを得ることができるものとなる。
【００１６】
制御ユニットの制御回路が中央演算処理装置を有し、該中央演算処理装置が、無線ＬＡＮモジュールおよび無線アンテナを有した無線通信部と接続され、通信可能範囲に設置された客室ＬＥＤ管型カメラシステムの無線通信部、または、無線通信部を備えた通信端末装置の少なくとも何れか一方と通信可能なものとされたから、この発明の客室ＬＥＤ管型カメラシステムを利用した旅客室用照明・監視システムを構築することができるものとなる。
【００１７】
制御ユニットの制御回路が中央演算処理装置を有し、ユニットカバーが、該ユニットカバーの下がわ向きとなる外がわに発光部分が露出されたエラー表示ＬＥＤを有し、該中央演算処理装置に対し、エラー表示ＬＥＤが、同エラー表示ＬＥＤの電源スイッチを介して接続されてなるものは、この発明の客室ＬＥＤ管型カメラシステム１が、対象旅客室の天井に設置された場合に、エラー表示ＬＥＤの点灯、点滅、消灯などの動作を目視確認することによって撮像部および無線通信部の正常動作状態、および、撮像部または無線通信部の少なくとも何れか一方に誤作動を生じた場合の夫々を、視覚的に認識することが可能となり、メンテナンスの作業性を大幅に高めたものとすることができ、さらに、制御回路およびエラー表示ＬＥＤが、緊急用蓄電デバイスに接続されたものの場合には、外部電力の供給が途絶えた状態にあっても緊急用蓄電デバイスからの電力供給を受けて制御回路およびエラー表示ＬＥＤが動作するようになって、より信頼性に優れたエラー表示機能を発揮するものとなる。
【００１８】
制御ユニットの制御回路が中央演算処理装置を有し、該中央演算処理装置が、クロックＩＣ、撮像部、および、リムーバブルメデイア用スロットに装着され、該リムーバブルメデイア用スロットに設けられたリーダー・ライター部に接続されたリムーバブルメデイアの夫々と通信可能に接続されてなるものは、クロックＩＣの時間情報に基づき撮像部およびリムーバブルメデイアの制御を統合的に行い、より正確な時刻の記録と撮像画像の保存とを実現化することができるものとなり、さらに、制御回路、無線通信部およびクロックＩＣが、緊急用蓄電デバイスに接続されたものの場合には、外部電力の供給が途絶えた状態にあっても緊急用蓄電デバイスからの電力供給を受け、クロックＩＣが正確な時間情報を保持するものとなる上、無線通信部を通じて通信端末装置から送信された時間情報に基づき、クロックＩＣを時間設定することが可能なものとなる。
【００１９】
ユニットカバーが、該ユニットカバー内に収容された制御ユニットを下がわから覆う下ユニットカバー部、および、該制御ユニットを上がわから覆う上ユニットカバー部が、ネジ結合によって一体化されたものであって、該ネジ結合によって一体に組み合わせられたユニットカバー内に、リムーバブルメデイア用スロット、および、該リムーバブルメデイア用スロットに装着されたリムーバブルメデイアが、ネジの取り外し無しには取り出せないよう収容されてなるものによれば、組み立て作業性および生産効率を高めたものとすることができる上、通常であれば取り出し易くするのが一般的なリムーバブルメデイアを、工具無しには取り出せないよう設けられたものとされているから、撮像データが保存されたリムーバブルメデイアを、より厳重に保護されたものとすることができるという特徴的効果が得られる。
【００２０】
互いにアドホック・モードの無線通信が可能とされるようにした複数のこの発明の客室ＬＥＤ管型カメラシステムの中の少なくとも何れか一つの無線通信部と直接的にか、または、無線通信ネットワークを介して間接的にかの少なくとも何れか一方で無線通信が可能な通信端末装置との組み合わせからなるこの発明の客室ＬＥＤ管型カメラシステムを利用した旅客室用照明・監視システムに依るようにすれば、複数の客室ＬＥＤ管型カメラシステムに蓄積された撮像データを、無線通信によって遠隔的に収集することができる上、各客室ＬＥＤ管型カメラシステムのメンテナンスを無線通信によってより効率的に行うことができるものとなる。
【００２１】
また、この発明の客室ＬＥＤ管型カメラシステムの複数と、各客室ＬＥＤ管型カメラシステムの無線通信部と直接的にか、または、無線通信ネットワークを介して間接的にかの少なくとも何れか一方でインストラクチャー・モードの無線通信が可能な通信端末装置との組み合わせからなるこの発明の客室ＬＥＤ管型カメラシステムを利用した旅客室用照明・監視システムによれば、より高速の通信を実現化することができ、メンテナンス効率を大幅に向上できるものとなる。                                                                                                          
【発明を実施するための最良の形態】
【００２２】
上記したとおりの構成からなるこの発明の実施に際し、その最良もしくは望ましい形態について説明を加えることにする。
客室ＬＥＤ管型カメラシステムのランプ外殻は、従来型の直管蛍光灯と略同様の外郭形状および全長（端子間寸法）となり、直管用照明器具に対して従来型の直管蛍光灯と略同様の取り付け操作、および交換操作によって装着可能とする機能を担い、仮想水平軸心の周囲に筒状壁が設けられ、該筒状壁の少なくとも対象旅客室の天井に設置された場合に下がわとなる壁範囲が透光性を有するものとされ、該筒状壁の外周囲が飛散防止膜で被覆されたガラス直管、および、該ガラス直管の内端に同仮想水平軸心上に連続するよう設けられたユニットカバーからなり、該ユニットカバーのガラス直管が設けられた内端とは反対がわとなる外端に設けられ、該仮想水平軸心に平行な電源端子が突設された口金と、該ガラス直管のユニットカバーが設けられた内端とは反対がわとなる外端に設けられ、該仮想水平軸心に平行なダミー端子が突設された口金とを有し、直管型蛍光灯の外郭形状が略再現されたものとすべきであり、より具体的示すと、後述する実施例にも示すように、ガラス直管のユニットカバーが設けられた内端とは反対がわとなる外端に設けられ、該仮想水平軸心を中心とする仮想円と、同仮想水平軸心に直交する仮想径線との２つの交点から、同仮想水平軸心に平行するよう二本の電源端子が外向きに突設された口金と、該ユニットカバーのガラス直管が設けられた内端とは反対がわとなる外端に設けられ、該仮想水平軸心に一致するよう外向きに一本のダミー端子が突設された口金とを有するものとすることができる。
【００２３】
ガラス直管は、仮想水平軸心に沿って配されたＬＥＤ発光部の外周囲を保護および防汚、防塵すると共に、ＬＥＤ発光部が照射する光を透光可能に包囲する機能を担っており、ガラス直管の筒状壁は、この発明の客室ＬＥＤ管型カメラシステムが対象旅客室に設置された場合に、下がわとなる壁範囲が透光性を有するものとされ、該筒状壁の外周囲が飛散防止膜で被覆されたものとされていなければならず、筒状壁の全体的形状が、直管蛍光灯のガラス直管と同様の外観を呈するものとするのが望ましく、対象旅客室の天井に設置された場合に下がわとなる壁範囲が、無色透明ガラス壁、有色透明ガラス壁、無色透明磨りガラス状壁、有色透明磨りガラス状壁の何れかとされたものとするのが良く、内外壁面の少なくとも何れか一方に蛍光体層が設けられたものとすることができ、飛散防止膜は、ガラス直管が万が一破損した場合に、ガラス破片の飛散を防止する機能を担い、合成樹脂フィルムや合成樹脂製チューブなどからなるものとすべきであり、加えて、耐熱、耐火、防炎、帯電防止、紫外線カット、紫外線または赤外線の少なくとも何れか一方をカットし、飛翔昆虫を防止する機能などの少なくとも何れか一つの機能性素材が添加、混合、蒸着膜、被覆層の何れかの状態で加えられた素材製のものとすることができる。
【００２４】
口金は、この発明の客室ＬＥＤ管型カメラシステムの装着対象となる直管用照明器具のソケット部間に着脱可能に装着可能にすると共に、少なくとも何れか一方のソケット部付近から外部電力の供給を受けられるようにする機能を担うものであり、ユニットカバーのガラス直管が設けられた内端とは反対がわとなる外端に設けられ、仮想水平軸心に平行な電源端子が突設された口金と、該仮想水平軸心の周囲に筒状壁が設けられたガラス直管のユニットカバーが設けられた内端とは反対がわとなる外端に設けられ、該仮想水平軸心に平行なダミー端子が突設された口金とが設けられたものとしなければならず、直管蛍光灯同様の「Ｇ１３口金」の外、直管型ＬＥＤランプ専用の「ＧＸ１６ｔ−５口金」、「Ｒ４口金」、「ＧＺ１６口金」に準じたものとすることが可能であり、より具体的には、後述する実施例にも示しているように、ユニットカバーのガラス直管が設けられた内端とは反対がわとなる外端に設けられ、仮想水平軸心を中心とする仮想円と、同仮想水平軸心に直交する仮想径線との２つの交点から、同仮想水平軸心に平行するよう二本の電源端子が外向きに突設された口金と、該仮想水平軸心の周囲に筒状壁が設けられたガラス直管のユニットカバーが設けられた内端とは反対がわとなる外端に設けられ、該仮想水平軸心に一致するよう外向きに一本のダミー端子が突設された口金とが設けられたものとすることができ、各口金は、放熱性、耐熱性、耐火性、難燃性などの性質をもつものとしなければならず、例えば、金属製、セラミック製または不燃樹脂製の少なくとも何れか一からなるものとするのが望ましく、ダミー端子は、アース端子とすることができる。
【００２５】
ＬＥＤ発光部は、制御ユニットの電源部からの直流電力の供給によって発光し、この発明の客室ＬＥＤ管型カメラシステムが、対象旅客室の天井の直管用照明器具に装着された場合に、対象旅客室の床面がわとなる下がわに向けて発光および照明する機能を分担するもので、照射範囲を昼光色、昼白色、白色、温白色または電球色の少なくとも何れか一の発光色に照明するものとすることができる外、昼光色、昼白色、白色、温白色および電球色の外の青色、紫色、赤色、橙色、黄色、緑色、またはその他の色などの有色光の何れか一の発光色に照明するものとすることが可能であり、後述する実施例にも示しているが、ランプ外殻の電源端子が突設された口金内から、該電源端子が突設された口金とは反対がわとなる、ダミー端子が突設された口金内に至る範囲に渡り、仮想水平軸心に沿って平行するよう配設された、水平板状のベースフレームの、この発明の客室ＬＥＤ管型カメラシステムが、対象旅客室の天井の直管用照明器具に装着された場合に下向きとなる下面壁であって、しかもガラス直管内に対応する範囲に対し、ＬＥＤ素子が搭載されたＬＥＤ基板からなる複数個のＬＥＤユニットが、該仮想水平軸心に沿って一列または複数列、電力供給可能に配設されてなるものとすることが可能であり、ＬＥＤユニットの種類は、砲弾型、表面実装型（ＳＭＤ：Ｓｕｒｆａｃｅ  Ｍｏｕｎｔ  Ｄｅｖｉｃｅ）、チップオンボード（ＣＯＢ：Ｃｈｉｐ−Ｏｎ−Ｂｏａｒｄ）、その他の構造のもの中の少なくとも何れか一種とすることが可能である。
【００２６】
制御ユニットは、この発明の客室ＬＥＤ管型カメラシステムの、各部への電力供給、ＬＥＤ発光部の発光制御、撮像部の撮像制御、リムーバブルメデイアの撮像データの書き込みよび読み取り制御、無線通信部の通信制御などの統合的制御を可能とする機能を担っており、電源部、制御回路、撮像部、無線通信部を有するものとされ、リムーバブルメデイアが装着され、リーダー・ライター部を有するリムーバブルメデイア用スロットが設けられたものとしなければならず、さらに、後述得する実施例にも示されるように、発光部分を外部に露出するよう設けられたエラー表示ＬＥＤが、発光、点滅、消灯などの制御が可能な状態に接続されたものとするのが望ましい。
【００２７】
制御ユニットの電源部は、該電源端子を経て外部から供給される直流電源を、短絡防止、定電力化し、ＬＥＤ発光部および制御ユニットに含まれ、該電源部に接続された各部に電力供給する機能を分担し、より具体的には、後述する実施例にも示すように、電源端子がわから順に、保護回路、定電圧電源回路および定電流電源回路を経てＬＥＤ発光部に接続されてなるものとするのが良く、また、電源端子がわから順に、保護回路、定電圧電源回路、ＤＣ／ＤＣコンバータおよび緊急用蓄電デバイスを経て制御回路に設けられた中央演算処理装置に接続されてなるものとするのが望ましく、さらに、電源端子がわから順に、保護回路、定電圧電源回路、ＤＣ／ＤＣコンバータを経て撮像部に接続されてなるものとすることができる。
【００２８】
電源部の保護回路は、供給される電力の急激な上昇から定電圧電源回路、およびそれに接続された部品類全体を保護可能とする機能を担い、該ＬＥＤ発光部および制御ユニットの短絡を防止可能とし、落雷や過剰な電力の供給から保護可能なものとしなければならず、より具体的には、ヒューズ回路、アース回路、ブレーカー回路、安全器、遮断器の何れかとすることが可能である。
【００２９】
電源部の定電圧電源回路は、保護回路から供給される直流電力の電圧を安定化する機能を分担するものであり、定電流電源回路およびＤＣ／ＤＣコンバータ、およびそれに接続された部品類全体を安定に動作可能とする電圧を印加とするものとしなければならず、より具体的には、ツェナ・ダイオードや半導体のバンド・ギャップなどが用いられたものとすることができる。
そして、電源部の定電流電源回路は、定電圧電源回路から供給される直流電力の電流を安定化する機能を分担するものであり、ＬＥＤ発光部を安定に動作可能とする電流を供給するものとしなければならず、より具体的には、抵抗式、ＦＥＴ式、ＺＤ基準式、カレントミラー式、フィードバック式などの何れかの回路が用いられたものとすることができる。
【００３０】
緊急用蓄電デバイスは、直流電源給電がわから保護回路に供給される外部電力、または、保護回路から定電圧電源回路、定電流電源回路およびＤＣ／ＤＣコンバータを経る回路中に、短絡や電力の遮断などが発生し、電力の供給が緊急的に停止された場合に、制御ユニットの部品に電力を緊急供給可能とする機能を分担するものであり、蓄電量が著しく高められたコンデンサ（キャパシタ）とすべきであり、より具体的には、電気二重層コンデンサとするのが望ましく、外部電源が断たれた場合に、外部電力の供給が再開されるまでの間、制御回路のクロックＩＣに電力を供給する機能を分担するものとすることができ、後述する実施例にも示しているように、電源断処理用スーパー・キャパシタまたはウルトラ・キャパシタとし、外部電力の供給無しに約３ヶ月間に渡りクロックＩＣを動作可能な電力を維持できるものとするのが望ましい。
【００３１】
制御ユニットの制御回路は、電源部から電力供給を受けて動作し、撮像部、無線通信部を制御し、さらに、リムーバブルメデイアが装着されたリムーバブルメデイア用スロットのリーダー・ライター部を制御し、撮像部が撮像した撮像データをリムーバブルメデイアに対して読み書き可能とする機能を分担し、ＩＣ（集積回路）、または、中央演算処理装置とすることが可能であり、制御ユニットの各部を統合的に制御可能なソフトウェアが搭載されたものとし、クロックＩＣ、撮像部、および、リムーバブルメデイア用スロットに装着され、該リムーバブルメデイア用スロットに設けられたリーダー・ライター部に接続されたリムーバブルメデイアの夫々と通信可能に接続されてなるものとすることができ、後述する実施例にも示しているように、該中央演算処理装置に対し、エラー表示ＬＥＤが、同エラー表示ＬＥＤの電源スイッチを介して接続され、該中央演算処理装置が、撮像部および無線通信部の正常動作を検知した場合、および、撮像部または無線通信部の少なくとも何れか一方に誤作動を生じた場合の夫々に、エラー表示ＬＥＤの電源スイッチの開閉制御を自動的に行うようにされたものとすることができる。
【００３２】
撮像部は、この発明の客室ＬＥＤ管型カメラシステムが、対象旅客室の天井に設置された場合に、対象旅客室内を撮影し、その撮像データを制御回路に出力する機能を分担し、ガラス直管の仮想水平軸心に対して平行な方向の水平画角が１４０°ないし１８０°、該仮想水平軸心に直交する方向の垂直画角が９０°ないし１８０°の広角レンズを有し、撮像の光軸が、該仮想水平軸心を通る垂線に対して、４０°ないし４５°の傾き角度をもつよう該仮想水平軸心回りの何れか一方に傾けられたカメラが設けられたものとしなければならず、広角レンズは、魚眼レンズに置き換えられたものとすることができ、カメラは、電源部からの電力供給の開始によって撮影を開始し、撮像データを制御回路に向けて送信するよう動作するものとすることができおる外、電源部からの電力供給を受け、さらに、制御回路からの撮影開始信号を受信した場合に、撮影を開始し、撮像データを制御回路に向けて送信するよう動作するものとされたものとすることができ、静止画または動画の少なくとも何れか一方を撮影可能なものとすることができる。
【００３３】
また、撮像部のカメラおよび広角レンズは、その撮像の光軸の姿勢を、仮想水平軸心を通る垂線に対して４０°ないし４５°の範囲内で調節可能とする光軸傾斜角度調節機構を有するものとすることができる外、撮像の光軸の４０°ないし４５°の傾き角度の傾斜方向を、該仮想水平軸心回りの何れか一方に切り替え、調節可能な姿勢調節機構が設けられたものとすることが可能であり、さらにまた、それらの光軸傾斜角度調節機構および姿勢調節機構の機能を兼ね備えた光軸調節機構が設けられたものとすることができ、それら光軸傾斜角度調節機構、姿勢調節機構または光軸調節機構の何れかが、制御回路に接続された調節用モータ駆動部を有して設けられ、この発明の客室ＬＥＤ管型カメラシステムが、対象旅客室の天井などに設置された場合に、通信端末装置および制御回路の無線通信部を介して撮像の光軸の姿勢を、撮像画像を通信端末装置のディスプレイで目視確認しながら遠隔的に調整操作可能とされたものとすることができる。
【００３４】
リムーバブルメデイア用スロットは、リムーバブルメデイアが着脱自在に装着可能とされ、リムーバブルメデイアが装着された場合に、該リムーバブルメデイアに対してデジタル情報の書き込みおよび読み取りを可能とする機能を分担し、リムーバブルメデイアに対して書き込みおよび読み取り可能なリーダー・ライター部を有し、後述する実施例にも示している通り、管理者以外の人によって該リムーバブルメデイアが持ち去られることのないよう、該リムーバブルメデイア諸共、外部に露出しないようユニットカバー内に封入されたものとすべきである。
【００３５】
リムーバブルメデイアは、制御回路から出力された撮像データを読み取り可能、書き換え可能に書き込み記録可能とする機能を担い、リムーバブルメデイア用スロットに装着された場合に、該リムーバブルメデイア用スロット諸共、ユニットカバー内に納まる寸法および形状とされた、不揮発性の半導体メモリとされるべきであり、この発明の客室ＬＥＤ管型カメラシステムの一個に対して、複数個分のリムーバブルメデイア用スロット、および、複数個のリムーバブルメデイアが組み込まれたものとすることが可能であり、後述する実施例にも示しているが、撮像データが動画データの場合、１日１８時間として１週間分ないし２週間分（１２６時間ないし２５２時間分）の動画データを高圧縮データとして保存可能であり、書き込み記録の際に、暗号化されたデータとして記録可能なものとされ、充分にセキュリティー対策されたものとするのが望ましい。
【００３６】
リムーバブルメデイアは、より具体的には、例えば、メモリーカード、フラッシュメモリ、超小型のハードディスク、マルチメディアカード、ハイスピード  マルチメディアカード（ＨＳ−ＭＭＣ）、マルチメディアカード  プラス（ＭＭＣｐｌｕｓ）、ハイキャバビリティマルチメディアカード  プラス  ＨＣ（ＭＭＣ  Ｐｌｕｓ，ＭＭＣｐｌｕｓ  ＨＣ）、リデューストサイズ  マルチメディアカード（ＲＳ−ＭＭＣ）、デュアルボルテージ  リデューストサイズ  マルチメディアカード（ＤＶ  ＲＳ−ＭＭＣ）、マルチメディアカード  モバイル（ＭＭＣｍｏｂｉｌｅ）、マルチメディアカード  マイクロ（ＭＭＣｍｉｃｒｏ）、セキュア  マルチメディアカード（ＳｅｃｕｒｅＭＭＣ，ＳＭＭＣ）、ＡＴＡ  ｏｎ  ＭＭＣ（ＣＥ−ＡＴＡ）、ＳＤメモリーカード、ｍｉｎｉＳＤカード、トランスフラッシュ（Ｔ−Ｆｌａｓｈ）、ｍｉｃｒｏＳＤカード、ＳＤＨＣメモリーカード、ｍｉｎｉＳＤＨＣカード、ｍｉｃｒｏＳＤＨＣカード、ＳＤＸＣメモリーカード、ｍｉｃｒｏＳＤＸＣカード、メモリースティック（ＭＳ）、マジックゲート  メモリースティック（ＭＧメモリースティック）、メモリースティックＤｕｏ、マジックゲート  メモリースティックＤｕｏ（ＭＧメモリースティックＤｕｏ）、メモリースティックＰＲＯ、メモリースティックＰＲＯ  Ｄｕｏ、メモリースティックマイクロ（Ｍ２）、メモリースティックＰＲＯ−ＨＧ  Ｄｕｏ、メモリースティックＨＧマイクロ、メモリースティックＸＣ、メモリースティック−ＲＯＭ、ＳＭ・ｘＤ、  スマートメディア（ＳＭ）、ｘＤピクチャーカード、ＰＣカード・ＣＦ・ＭＤ  ＳＲＡＭカード、ＥＥＰＲＯＭカード、フラッシュメモリーカード、ＯＴＰＲＯＭカード、ＲＯＭカード、ＡＩＭＳカード  ＡＩＭＳ仕様フラッシュメモリーカード、ＡＴＡカード  ６８ピンＡＴＡ仕様  １．８インチＨＤＤ、ＰＣカードＡＴＡ仕様  ＡＴＡ仕様フラッシュメモリーカード、ＣａｒｄＢｕｓＡＴＡ仕様  Ｐ２カード、６８ピンＡＴＡ＆ＰＣカードＡＴＡ両対応  フラッシュＡＴＡカード、モバイルディスク、コンパクトフラッシュ（登録商標）メモリーカード、マイクロドライブ（ＭＤ）、スモールＰＣカード、コンパクトフラッシュ（登録商標  ＣＦ）、コンパクトフラッシュ（登録商標）  プラス  カード（ＣＦ＋カード）、その他  ミニチュアカード、ＥｘｐｒｅｓｓＣａｒｄ、ｉＶＤＲ、レーザーカード、その他の独自規格のものなど中の何れか一種、または、複数種類の組み合わせとすることができ、また、この発明の客室ＬＥＤ管型カメラシステムは、１個または複数個のリムーバブルメデイア用スロットが設けられたものとすることができ、１個のリムーバブルメデイア用スロットは、リムーバブルメデイアの一個の装着に対応し、しかも一つのリムーバブルメデイア用スロットが、一種類または複数種類の何れか一方のリムーバブルメデイアの装着に対応可能とされたものとすることができる。
【００３７】
無線通信部は、通信可能範囲に設置された車両用客室ＬＥＤ管型カメラシステムの無線通信部、または、無線通信部を備えた通信端末装置の少なくとも何れか一方と通信可能とする機能を分担し、制御回路と、通信可能範囲に設置された客室ＬＥＤ管型カメラシステムの無線通信部との間の無線通信、または、制御回路と、通信端末装置に設けられた無線通信部との間の無線通信、の少なくとも何れか一方が可能なものとされていなければならず、後述する実施例にも示すように、無線通信部が、無線ＬＡＮモジュールおよび無線アンテナを有し、該無線ＬＡＮモジュールが、制御ユニットの制御回路に設けられた中央演算処理装置に接続され、該中央演算処理装置に撮像部が接続され、さらに、該中央演算処理装置が、リムーバブルメデイア用スロットに装着されたリムーバブルメデイアに対し、該リムーバブルメデイア用スロットのリーダー・ライター部を介して接続され、撮像部が撮影するライブの撮像データ、または、撮像部が撮影し、リムーバブルメデイアに一旦蓄積された撮像データの少なくとも何れか一方を、通信可能範囲に設置された客室ＬＥＤ管型カメラシステムの無線通信部、または、通信端末装置に設けられた無線通信部、の少なくとも何れか一方に送信可能なものとすべきである。
【００３８】
無線通信部および該無線通信部が接続された制御ユニットは、無線通信部を備えた通信端末装置を介して制御プログラムの更新などのメンテナンス操作が、無線通信によって行われるものとすることが可能である外、制御プログラムの更新は、更新プログラムが記録されたリムーバブルメデイアを、リムーバブルメデイア用スロットに装着して行えるようにされたものとすることができ、また、無線通信部および該無線通信部が接続された制御ユニットが、クロックＩＣを有している場合に、無線通信部を備えた通信端末装置を介してクロックＩＣの時間調整を行うことができるものとすることが可能である。
【００３９】
エラー表示ＬＥＤは、制御ユニットの動作エラーや電源供給の消失などが発生した場合に、点灯または点滅の少なくとも何れか一方の動作か、または、常時点灯、非常時に消灯の動作かの何れか一方の状態となって、この発明の客室ＬＥＤ管型カメラシステムの動作状況を目視可能となる機能を分担するものであり、制御ユニットの制御回路に対して該エラー表示ＬＥＤの電源スイッチを介して接続されたものとしなければならず、停電などの緊急時に、緊急用蓄電デバイスからの電力供給を受けて発光可能な電源供給の回路を有するものとすることが可能であり、この発明の客室ＬＥＤ管型カメラシステムが、対象旅客室の天井に設置された場合に下がわとなるユニットカバーの下がわ面壁に露出し、目視容易な位置に設けられたものとするのが望ましい。
【００４０】
直流電源給電は、この発明の客室ＬＥＤ管型カメラシステムの正常発光および正常動作に充分な電力を供給可能な直流電力電源であり、例えば、商用電源の交流電力を直流電源に変換した電力とすることが可能であり、鉄道、バス、航空機、船舶およびその他の交通車両類の対象旅客室の照明灯用に供給される直流電源とすることが可能であり、後述する実施例にも示すように、鉄道車両の対象旅客室の天井に設置され、この発明の客室ＬＥＤ管型カメラシステムの装着用とされた直管用照明器具に供給される直流電源給電とすることができる。
この発明の客室ＬＥＤ管型カメラシステムの装着の対象となる車両は、新幹線の車両、地下鉄、モノレールを含む在来線の車両、各種バスなどとすることができ、さらに、車両以外の船舶、航空機などの対象旅客室を有する乗り物とすることが可能である。
【００４１】
直管用照明器具は、この発明の客室ＬＥＤ管型カメラシステムが装着され、電力を供給し、点灯可能に保持する機能を分担するものであり、従来型の直管蛍光灯用の直管用照明器具と同様の概略的外郭形状を呈するものとされ、この発明の客室ＬＥＤ管型カメラシステムの装着用とされた用照明器具であり、対象旅客室の天井に設置され、対象車両進行方向の前後に、一対のソケット部が対峙されたものとすべきである。
【００４２】
無線通信部を備えた通信端末装置は、移動する車両の旅客室内に持ち込むか、車両の外がわの旅客室近傍に位置し、この発明の客室ＬＥＤ管型カメラシステムと直接的に無線通信するか、または、車両から遠く離れた建築内などにあって、インターネットなどの無線ネットワークなどを介して、この発明の客室ＬＥＤ管型カメラシステムと遠隔的に無線通信するかの少なくとも何れか一方が可能とされ、撮像データをダウンロード可能とする機能を担うものであり、例えば、ラップトップコンピュータやデスクトップコンピュータ、タワー型パソコンなどのパーソナルコンピュータ、または、スマートフォンやタブレット型コンピュータなどの携帯端末とすることができ、後述する実施例にも示しているように、無線ＬＡＮモジュールが搭載されたものとするのが良い。
【００４３】
この発明の客室ＬＥＤ管型カメラシステムを利用した旅客室用照明・監視システムは、対象旅客室内天井に設置された、この発明の客室ＬＥＤ管型カメラシステムの複数から、無線通信部を備えた通信端末装置に、各この発明の客室ＬＥＤ管型カメラシステムが録画した撮像データをダウンロード可能とする機能を担い、より具体的には、対象旅客室内天井の対象旅客室幅寸法間の中央から対象旅客室幅寸法方向端寄りとなる双方に計二列、前後に間隔を隔てて複数行の配置に設けられ、各々の対象車両進行方向の前後に、一対のソケット部が対峙された直管用照明器具に対して夫々装着された、この発明の客室ＬＥＤ管型カメラシステムの複数に対し、無線通信部を備えた通信端末装置が、各この発明の客室ＬＥＤ管型カメラシステムが録画した撮像データをダウンロード可能とするよう無線通信可能に設定されたものとしなければならず、後述する実施例にも示すとおり、互いの無線通信部間でアドホック・モードの無線通信が可能とされた、この発明の客室ＬＥＤ管型カメラシステムの複数と、それら互いにアドホック・モードの無線通信が可能とされた複数の客室ＬＥＤ管型カメラシステムの中の少なくとも何れか一つの無線通信部と直接的にか、または、無線通信ネットワークを介して間接的にかの少なくとも何れか一方で無線通信が可能な通信端末装置との組み合わせからなり、該通信端末装置が、少なくとも各客室ＬＥＤ管型カメラシステムのリムーバブルメデイアに蓄積された撮像データを、無線受信可能とされたものとすることができる外、この発明の客室ＬＥＤ管型カメラシステムの複数と、各客室ＬＥＤ管型カメラシステムの無線通信部と直接的にか、または、無線通信ネットワークを介して間接的にかの少なくとも何れか一方でインストラクチャー・モードの通信が可能な通信端末装置との組み合わせからなり、該通信端末装置が、少なくともリムーバブルメデイアに蓄積された撮像データを、無線受信可能なものとされたものとすることができる。
以下では、図面に示すこの発明を代表する実施例と共に、その構造について詳述することとする。                                                                                                          
【図面の簡単な説明】
【００４４】
図面は、この発明の客室ＬＥＤ管型カメラシステム、それを利用した旅客室用照明・監視システムの技術的思想を具現化した代表的な幾つかの実施例を示すものである。
【図１】分解されたこの発明の客室ＬＥＤ管型カメラシステムを示す正面図である。
【図２】この発明の客室ＬＥＤ管型カメラシステムを示す正面図である。
【図３】電源端子がわから臨むこの発明の客室ＬＥＤ管型カメラシステムを示す側面図である。
【図４】ダミー端子がわから臨むこの発明の客室ＬＥＤ管型カメラシステムを示す側面図である。
【図５】撮像部の配置を示す側面図である。
【図６】旅客室内の撮像範囲を示す平面図である。
【図７】一部を断面化した車両に対する撮像部の垂直画角を示す側面図である。
【図８】断面化した車両に対する左右２つの撮像部の垂直画角を示す側面図である。
【図９】直管用照明器具に装着されるこの発明の客室ＬＥＤ管型カメラシステムを示す斜視図である。
【図１０】直管用照明器具に装着されたこの発明の客室ＬＥＤ管型カメラシステムを示す斜視図である。
【図１１】アドホック・モードの通信のこの発明の旅客室用照明・監視システムを示す概念図である。
【図１２】インストラクチャー・モードの通信のこの発明の旅客室用照明・監視システムを示す概念図である。
【図１３】ＬＥＤ発光部および制御ユニットの構成を示すブロック図である。
【実施例１】
【００４５】
図１ないし図１０および図１３に示す事例は、ガラス直管Ｇ１、および、該ガラス直管Ｇ１の内端に連続するユニットカバーＵからなり、該ユニットカバーＵのガラス直管Ｇ１とは反対の外端に設けられ、電源端子ＴＮ，ＴＮが突設された口金Ｔと、該ガラス直管Ｇ１のユニットカバーＵとは反対の外端に設けられ、ダミー端子ＤＴが突設された口金Ｔとを有したランプ外殻Ｇが設けられ、該ガラス直管Ｇ１にＬＥＤ発光部２が内装され、該ユニットカバーＵに電源部Ｐ、制御回路３、撮像部４、無線通信部７を有した制御ユニットＣＵが内装され、該撮像部４は広角レンズ４１を有し、撮像の光軸ＦＡが、垂線ＰＤに対して傾けられたカメラ４０が設けられ、該制御回路３には、撮像データを読み書き可能なリムーバブルメデイア用スロット５、およびリムーバブルメデイア６が設けられてなるものとした、この発明の客室ＬＥＤ管型カメラシステム、それを利用した旅客室用照明・監視システムにおける代表的な一実施例を示すものである。
【００４６】
それら各図からも明確に把握できるとおり、この発明の客室ＬＥＤ管型カメラシステム１は、そのランプ外殻Ｇが、水平円筒状のガラス直管Ｇ１、該ガラス直管Ｇ１の内端に連続するよう設けられたユニットカバーＵ、および、該ガラス直管Ｇ１とユニットカバーＵとの夫々の外端両端に設けられた口金Ｔ，Ｔからなり、該ガラス直管Ｇ１は、仮想水平軸心ＶＨの周囲に外径３８ｍｍの円筒状壁Ｇ１が設けられ、該円筒状壁Ｇ１は、透明または半透明の透光性を有するものとされ、該円筒状壁Ｇ１の内・外周壁面の少なくとも一方に光り拡散フィルム、光拡散皮膜層、または、半透明反射膜の何れかが設けられたものとすることが可能であり、客室ＬＥＤ管型カメラシステム１が、対象車両Ｌとしての電車Ｌの対象旅客室ＣＢの天井ＣＷに設置された場合に、該円筒状壁Ｇ１の少なくとも下がわとなる壁範囲が透光性を有するものとされ、該筒状壁Ｇ１の全外周囲が不燃樹脂製または難燃樹脂製の少なくとも何れか一方の飛散防止膜Ｇ２で被覆されたものとなっている。
【００４７】
図１ないし図５に示すように、ユニットカバーＵは、仮想水平軸心ＶＨに平行な仮想水平面に沿って横断状に半裁された形状とされ、下向き膨出形とされた下ユニットカバー部Ｕ１と、半裁円筒形とされた上ユニットカバー部Ｕ２とが組み合わせられ、鉛直上方から下向きに螺着されたネジＳＣによって、仮想水平軸心ＶＨに平行してガラス直管Ｇ１に連続するよう一体化されており、該ユニットカバーＵのガラス直管Ｇ１が設けられた内端とは反対がわとなる外端に設けられた口金Ｔは、該仮想水平軸心ＶＨに平行な水平面に沿って半裁された形状の下口金部Ｔ１および上口金部Ｔ２が、鉛直上方から下向きに螺着されたネジＳＣによって、仮想水平軸心ＶＨに平行して該ユニットカバーＵに連続するよう一体化されており、該口金Ｔの外端壁面内の該仮想水平軸心を中心とする仮想円Ｒと、同仮想水平軸心ＶＨに直交する仮想径線ＤＬとの２つの交点から、同仮想水平軸心に平行するよう二本の電源端子ＴＮ，ＴＮが外向きに突設され、また、ガラス直管Ｇ１のユニットカバーＵが設けられた内端とは反対がわとなる外端に設けられた口金Ｔは、該仮想水平軸心ＶＨに平行な水平面に沿って半裁された形状の下口金部Ｔ１および上口金部Ｔ２が、鉛直上方から下向きに螺着されたネジＳＣによって、仮想水平軸心ＶＨに平行して連続するよう一体化され、該口金Ｔの外端壁面の中央には、該仮想水平軸心ＶＨ上に一致するよう外向きに一本のダミー端子ＤＴが突設されたものとなっている。
【００４８】
以上のような構造とされたランプ外殻Ｇには、ＬＥＤ発光部２および制御ユニットＣＵが収容されており、ＬＥＤ発光部２は、ガラス直管Ｇ１の内径に納まる幅および厚み寸法であって、客室ＬＥＤ管型カメラシステム１の両端に配された口金Ｔ，Ｔ間に差し渡される長さのアルミニウム製の細長い水平板状のベースフレーム２０を有し、該ベースフレーム２０の該ガラス直管Ｇ１内に配されることとなる長さ範囲の下面には、ＬＥＤ素子２２が実装されたＬＥＤ基板の複数個が搭載されたＬＥＤユニット２１が、各ＬＥＤ素子２２の発光部分が下向きとなるよう、仮想水平軸心ＶＨに沿って一列または複数列配列の何れか一方に搭載された上、各ＬＥＤ素子２２，２２，……に電力供給可能に配線されたものである。
【００４９】
該ＬＥＤ発光部２のベースフレーム２０は、ガラス直管Ｇ１の中に仮想水平軸心ＶＨに平行且つ水平姿勢となるよう横貫されたものとなり、該ベースフレーム２０のガラス直管Ｇ１の内端から露出状に延伸された範囲には、該ＬＥＤ発光部２に近いがわから、撮像部４、制御回路３、無線通信部７、そして、電源端子ＴＮ，ＴＮが突設された口金Ｔの基端付近となる位置に電源部Ｐが、順に配されてなる制御ユニットＣＵが搭載されており、前述のユニットカバーＵの上・下ユニットカバー部Ｕ１，Ｕ２、および、両端の口金Ｔ，Ｔの上・下口金部Ｔ１，Ｔ２の夫々を縦貫するよう螺着された各ネジＳＣ，ＳＣ，ＳＣが、該ベースフレーム２０を肉厚方向に貫通するよう組み合わせられて相互部品同士が強固に一体化されたものとされている。
【００５０】
図２ないし図８に示すように、制御ユニットＣＵの撮像部４は、該仮想水平軸心ＶＨに平行な方向の水平画角Ｈαが１４０°ないし１８０°、該仮想水平軸心ＶＨに直交する方向の垂直画角Ｖαが９０°ないし１８０°の広角レンズ４１を有し、撮像の光軸ＦＡが、該仮想水平軸心ＶＨを通る垂線ＰＤに対して、この発明の客室ＬＥＤ管型カメラシステム１が、対象旅客室ＣＢ内天井ＣＷの対象旅客室ＣＢ幅寸法間の中央ＣＬから対象旅客室ＣＢ幅寸法ＲＷ方向の何れか一方端寄りとなる位置に、該仮想水平軸心ＶＨが、対象車両Ｌの進行方向ＦＢに平行となるよう設置された場合に、該仮想水平軸心ＶＨ回りに４０°ないし４５°の傾斜角度Ｔαをもって、対象旅客室ＣＢ幅寸法ＲＷ間の中央ＣＬがわへ向けて傾けられた姿勢となるようカメラ４０が、ベースフレーム２０に対して角度調節金具（図示せず）を介して取り付けられており、該カメラ４０の広角レンズ４１の外側に対峙するユニットカバーＵの下ユニットカバー部Ｕ１の下向き膨出形の壁部分には保護ガラスＰＧが装着された撮影窓ＷＤが設けられ、該保護ガラスＰＧは、各種光学フィルター、防塵、防汚、飛散防止、ハーフミラーなどの皮膜層が設けられたものとすることが可能である。
【００５１】
図１および図１３に示すように、制御ユニットＣＵの制御回路３および無線通信部７は、撮像部４と電源部Ｐとの間に配され、電源部Ｐは、電源端子ＴＮ，ＴＮが突設された口金Ｔ基端寄りに配され、電力の供給経路は、電源端子ＴＮ，ＴＮの直流電源給電９がわから順に、保護回路Ｐ１、定電圧電源回路Ｐ２および定電流電源回路Ｐ３を経てＬＥＤ発光部２に供給され、また、保護回路Ｐ１、定電圧電源回路Ｐ２、ＤＣ／ＤＣコンバータＰ４および緊急用蓄電デバイスＰ５としての電源断処理用スーパー・キャパシタＰ５を順に経て制御回路３に設けられた中央演算処理装置３１であるＣＰＵ３１に至り、さらにまた、保護回路Ｐ１、定電圧電源回路Ｐ２、ＤＣ／ＤＣコンバータＰ４を順に経て撮像部４に到達する。
【００５２】
図１３に示すように、制御回路３に設けられたＣＰＵ３１は、該ＣＰＵ３１に接続された図示しない補助記憶装置か、または、リムーバブルメデイア６かの何れかにソフトウェアが搭載され、該ＣＰＵ３１には、クロックＩＣ３２、撮像部４、リムーバブルメデイア６としてのメモリーカード６、無線通信部７およびエラー表示ＬＥＤ８が、夫々制御可能、および、データの送・受信、または、オン・オフ操作が可能に接続され、該ＣＰＵ３１は、常時および停電の際にも電源断処理用スーパー・キャパシタＰ５から電力の供給を受け、停電の際には、該ＣＰＵ３１と、該ＣＰＵ３１に接続されたクロックＩＣ３２、リムーバブルメデイア６としてのメモリーカード６、無線通信部７およびエラー表示ＬＥＤ８が、約三ヶ月間に渡って無給電動作可能なものとなっている。
【００５３】
図１ないし図１３に示されるように、クロックＩＣ３２は、常時クロック信号を出力し、無線通信部７およびＣＰＵ３１を通じた通信端末装置ＣＥとの無線通信を介し、管理者が、時間調整などのメンテナンスを沿革的に行うことが可能なものとされており、リムーバブルメデイア６としてのメモリーカード６は、ＣＰＵ３１に接続されたリーダー・ライター部５０を備えたリムーバブルメデイア用スロット５に対して着脱自在に装着された不揮発性の半導体メモリ６であって、撮像部４のカメラ４０が撮影した撮像データを制御回路３のＣＰＵ３１を経て、高圧縮保存し、１日１８時間とした場合に１週間ないし２週間録画可能な情報量を記録可能な記憶容量を有し、長時間録画に対応可能なものとされ、さらに、暗号化された撮像データを記録するものとなっており、メモリーカード６が装着されたリムーバブルメデイア用スロット５は、ユニットカバーＵによってカバーされており、工具類を用いてネジＳＣを外し、下ユニットカバー部Ｕ１、上ユニットカバー部Ｕ２を分解しない限り、取り外すことができず、実質的に管理者以外が、メモリーカード６を取り出すことは不可能な構造となっている。
【００５４】
図１ないし図５および図１３に示されるように、エラー表示ＬＥＤ８は、その発光部分が、ユニットカバーＵの下ユニットカバー部Ｕ１の下面に露出するよう配設され、電源部Ｐ、制御回路３、撮像部４、リムーバブルメデイア用スロット５、メモリーカード６および無線通信部７の何れかが正常に動作できない場合に、自動的に点灯または点滅の何れか一方か、常時点灯または点滅し、異常時に消灯するか、または、常時点灯して異常時に点滅または消灯の何れか一方か、の何れかの動作によって異常を目視可能とするよう報知するものとされ、停電時にも電源断処理用スーパー・キャパシタＰ５の電力を受けて動作可能なものとされている。
【００５５】
図１０ないし図１３に示すように、無線通信部７は、無線アンテナ７１を有する無線ＬＡＮモジュール７０からなり、該無線ＬＡＮモジュール７０が、制御ユニットＣＵの制御回路３のＣＰＵ３１に設けられ、ＣＰＵ３１の制御を受け、外部の通信端末装置ＣＥと、直接か、または、無線通信ネットワークＮＷを介するなどして無線通信可能なものとされ、該通信端末装置ＣＥは、ノート型パソコン、または、スマートフォンやタブレット型コンピュータなどの携帯端末とすることができる外、デスクトップ型パソコンや、タワー型パソコン、サーバなどとすることが可能である。
【００５６】
（実施例１の作用・効果）
以上のとおりの構成からなるこの発明の客室ＬＥＤ管型カメラシステム１は、図６ないし１０、および、図１１または図１２の何れか一方に示すように、対象鉄道車両Ｌの対象旅客室ＣＢの天井ＣＷに対して、例えば、一車両に付き、合計８台設置された直管用照明器具ＬＦの夫々に、合計８本組み込まれ、旅客室用照明・監視システムＳを構成するものとなる。
【００５７】
対象となる鉄道車両Ｌは、その対象旅客室ＣＢ内の天井ＣＷの旅客室幅寸法ＲＷ間の中央ＣＬから対象旅客室幅寸法ＲＷ方向（進行方向ＦＢに対する左右方向）端寄りとなる双方に計二列、前後に略等間隔を隔てて四行の合計八カ所に、直管用照明器具ＬＦ，ＬＦ，……が、その長尺寸法方向を、対象鉄道車両Ｌの進行方向ＦＢに平行となるよう設置され、各々の直管用照明器具ＬＦ，ＬＦ，……は、対象鉄道車両Ｌ進行方向の前後端に、一対のソケット部ＳＫ，ＳＫが対峙するよう下向き突設され、電源端子ＴＮ，ＴＮが対応する一方の電源端子ＴＮに、図１３に示す、直流電源給電９が接続されたものとなっている。
【００５８】
図６ないし図１０に示すように、対象旅客室ＣＢに設置された各直管用照明器具ＬＦ，ＬＦ，……には、この発明の客室ＬＥＤ管型カメラシステム１，１，……が、各撮像部４の撮像の光軸ＦＡの被写体がわ端が、旅客室幅寸法ＲＷ間の中央ＣＬ寄りとなる下向きに傾斜された姿勢に装着されたものとされ、換言すると、各撮像部４の撮像の光軸ＦＡの向きが、鉛直下方の床面ＦＲから、対象旅客室ＣＢ幅寸法ＲＷ間の中央の床面ＦＲ、および、各々の直管用照明器具ＬＦが設置されたのとは左右反対がわ（対象旅客室ＣＢ幅寸法ＲＷ方向の中央ＣＬを挟む反対がわ）の座席ＳＴ，ＳＴ，……を含み、対象旅客室ＣＢ幅寸法ＲＷ方向の何れか他方となる対象旅客室ＣＢ内側壁ＳＷの網棚ＲＣ上に至る範囲を含む対象旅客室ＣＢ幅寸法ＲＷ方向の撮像範囲（図６および図８中の破線ハッチングまたは二点鎖線ハッチングで示す範囲と、図７の二点鎖線で示す扇状範囲Ｖα）を確保するよう設定されてなるものとされている。
【００５９】
図１１および図１２に示すように、対象となる鉄道車両Ｌの対象旅客室ＣＢに対して、合計８個設置されたこの発明の客室ＬＥＤ管型カメラシステム１，１，……は、無線ＬＡＮモジュールおよび無線アンテナが搭載されたパーソナルコンピュータ、または、スマートフォンやタブレット型コンピュータなどの通信端末装置ＣＥ、または、インターネットなどの無線通信ネットワークＮＷを介して通信可能なデスクトップ型パソコンや、タワー型パソコン、サーバなどの通信端末装置ＣＥの少なくとも何れか一方との組み合わせによって、この発明の旅客室用照明・監視システムＳが構築されたものとなる。
【００６０】
図６ないし図１１および図１３に示すように、この発明の旅客室用照明・監視システムＳは、各客室ＬＥＤ管型カメラシステム１，１，……の各々の制御回路３，３，……に搭載されたソフトウェアおよび各種条件の設定入力がなされると、例えば、対象鉄道車両Ｌの対象旅客室ＣＢに設置された八個の客室ＬＥＤ管型カメラシステム１，１，……が一つの単位を形成し、該一つの単位を形成するよう対象旅客室ＣＢに設置された合計八個の客室ＬＥＤ管型カメラシステム１，１，……が、互いの無線通信部７，７，……間で数珠つながり状または網目状の何れかの通信が可能とされるか、または、隣接する２個ずつや４個ずつの客室ＬＥＤ管型カメラシステム１，１，……毎に小さなネットワークを形成したものとされるかの何れか一方とされ、それら何れかの接続が可能とされた、小さなネットワーク中の何れか少なくとも１つの客室ＬＥＤ管型カメラシステム１の無線通信部７が、通信端末装置ＣＥと通信が可能なアクセスポイントを形成するものとされた、アドホック・モードの無線通信が可能とされた、合計八個が一単位の客室ＬＥＤ管型カメラシステム１，１，……と、それら何れかの形態で互いにアドホック・モードの無線通信が可能とされた合計八個の客室ＬＥＤ管型カメラシステム１，１，……の中の少なくとも何れか一つの無線通信部７と直接的にか、または、無線通信ネットワークＮＷを介して間接的にかの少なくとも何れか一方で無線通信が可能な通信端末装置ＣＥとの組み合わせからなり、該通信端末装置ＣＥが、少なくとも各客室ＬＥＤ管型カメラシステム１，１，……のリムーバブルメデイア６，６，……に蓄積された撮像データを、無線受信可能なものとされてなるものとすることができる外、図６ないし図１０、図１２および図１３に示すように、この発明の旅客室用照明・監視システムＳは、各客室ＬＥＤ管型カメラシステム１，１，……と、通信端末装置ＣＥとの間で各客室ＬＥＤ管型カメラシステム１，１，……の無線通信部７，７，……と直接的にか、または、無線通信ネットワークＮＷを介して間接的にかの少なくとも何れか一方でインストラクチャー・モードの通信が可能であって、該通信端末装置ＣＥが、少なくとも各客室ＬＥＤ管型カメラシステム１，１，……のリムーバブルメデイア６，６，……に蓄積された撮像データを、無線受信可能とされたものとすることができる。
【００６１】
（結  び）
叙述の如く、この発明の客室ＬＥＤ管型カメラシステム、それを利用した旅客室用照明・監視システムは、その新規な構成によって所期の目的を遍く達成可能とするものであり、しかも製造も容易で、従前からの無線通信部を搭載した直管型のＬＥＤランプ技術に比較して大幅に耐久強度を高め、且つメンテナンス性を高めて遥かに経済的なものとすることができる上、対象旅客室の天井に死角なく設置することができるから、従前までであれば、対象旅客室内に設置される防犯カメラに死角が発生してしまうのはやむを得ないこととされてきたが、こうした課題を解決できるから、旅客室内の防犯性をさらに高めたいと考える鉄道旅客業界、旅行業界および船舶、航空旅客業界はもとより、こうした旅客業界に車両や船舶、航空機を提供する車両製造業界、造船業界および航空機製造業界などにおいても高く評価され、広範に渡って利用、普及していくものになると予想される。                                        
【符号の説明】
【００６２】
Ｓ      旅客室用照明・監視システム
１      客室ＬＥＤ管型カメラシステム
ＶＨ    同  仮想水平軸心
Ｇ      ランプ外殻
Ｇ１    同  ガラス直管
Ｇ２    同  飛散防止膜
Ｕ      ユニットカバー
Ｕ１    同  下ユニットカバー部
Ｕ２    同  上ユニットカバー部
ＳＣ    同  ネジ
ＷＤ    同  撮影窓
ＰＧ    同  保護ガラス
Ｔ      口金
Ｔ１    同  下口金部
Ｔ２    同  上口金部
ＴＮ    同  電源端子
Ｒ    同  仮想円
ＤＬ    同  仮想径線
ＤＴ    同  ダミー端子（アース端子）
ＰＤ    同  垂線
２      ＬＥＤ発光部
２０    同  ベースフレーム
２１    同  ＬＥＤユニット
２２    同  ＬＥＤ素子
ＣＵ      制御ユニット
Ｐ      電源部
Ｐ１    同  保護回路
Ｐ２    同  定電圧電源回路
Ｐ３    同  定電流電源回路
Ｐ４    同  ＤＣ／ＤＣコンバータ
Ｐ５    同  電源断処理用スーパー・キャパシタ（緊急用蓄電デバイス）
３      制御回路
３１    同  ＣＰＵ（中央演算処理装置）
３２    同  クロックＩＣ
４      撮像部
４０    同  カメラ
４１    同  広角レンズ（または魚眼レンズ）
Ｈα    同  水平画角
Ｖα    同  垂直画角
ＦＡ    同  撮像の光軸
Ｔα    同  撮像の光軸の傾斜角度
５      リムーバブルメデイア用スロット
５０    同  リーダー・ライター部
６      リムーバブルメデイア（メモリーカード）
７      無線通信部
７０    同  無線ＬＡＮモジュール
７１    同  無線アンテナ
８      エラー表示ＬＥＤ
９      直流電源給電
Ｌ      対象車両
ＣＢ    同  対象旅客室
ＣＷ    同  天井
ＦＲ    同  床面
ＳＴ    同  座席
ＳＷ    同  車室内側壁
ＲＣ    同  網棚
ＣＬ    同  旅客室幅寸法ＲＷ間の中央
ＦＢ    同  車両の進行方向
ＲＷ    同  対象旅客室幅寸法ＲＷ（方向）
ＬＦ      直管用照明器具
ＳＫ    同  ソケット部
ＮＷ      無線通信ネットワーク
ＣＥ      通信端末装置
【図１】
2020021720.tif 000003
【図２】
2020021720.tif 000004
【図３】
2020021720.tif 000005
【図４】
2020021720.tif 000006
【図５】
2020021720.tif 000007
【図６】
2020021720.tif 000008
【図７】
2020021720.tif 000009
【図８】
2020021720.tif 000010
【図９】
2020021720.tif 000011
【図１０】
2020021720.tif 000012
【図１１】
2020021720.tif 000013
【図１２】
2020021720.tif 000014
【図１３】
2020021720.tif 000015